(57)【要約】      （修正有）【課題】カードが挿入されていない状態において異音の発生が抑制されるカードコネクタを提供する。【解決手段】このカードコネクタは、ハウジング組立体１０と金属シェル２０とトレイ３０を備えている。また、ハウジング組立体１０は、ハウジング１１およびコンタクト１２のほか、スライドとイジェクトレバー１４を備えている。金属シェル２０は、イジェクトレバー１４に向かって突出するディンプル２１ａを有するばね片２１を有する。このばね片２１のディンプル２１ａは、イジェクトレバー１４に接触していて、そのイジェクトレバー１４の動きにフリクションを与えている。【選択図】図４
0003187380.tif 000002
【実用新案登録請求の範囲】
【請求項１】
差込位置と押出位置との間で差込／押出方向に移動自在にカードを受容するハウジングと、
前記差込／押出方向に対し交わる方向に延び途中が軸支されて前記差込位置へのカードの差込みにより一方の端部が押されて回動するイジェクトレバーと、
前記差込／押出方向に延び押込操作により差込方向奥側にスライドして前記イジェクトレバーの他方の端部を押し、前記差込位置にあるカードを該イジェクトレバーの前記一方の端部で前記押出位置に向けて押し出させるスライダと、
前記イジェクトレバーの回動の姿勢によらず該イジェクトレバーに接触して該イジェクトレバーの動きにフリクションを与えるフリクション部材とを備えたことを特徴とするカードコネクタ。
【請求項２】
前記ハウジングとの間にカードを受容する受容空間を形成する金属シェルを備え、該金属シェルが、前記イジェクトレバーに接触する、前記フリクション部材としてのばね片を有することを特徴とする請求項１記載のカードコネクタ。
【請求項３】
前記ばね片が、前記イジェクトレバーに向かって突出する突起部を有し、該突起部が前記イジェクトレバーに接触するものであることを特徴とする請求項１又は２記載のカードコネクタ。
【請求項４】
前記ハウジングが、前記スライダをスライド自在に、前記差込／押出方向に対し交わる向きに挟持して、該スライダの動きにフリクションを与える挟持部を有することを特徴とする請求項１から３のうちいずれか１項記載のカードコネクタ。
【請求項５】
前記ハウジングに対し前記差込／押出方向にスライド自在であって、カードを載せて該カードを前記差込位置と前記押出位置との間で移動させるトレイを備えたことを特徴とする請求項１から４のうちいずれか１項記載のカードコネクタ。
【考案の詳細な説明】
【技術分野】
【０００１】
本考案は、メモリカードやＳＩＭ（加入者識別モジュール）カード等のカードが挿入されるカードコネクタに関する。
【背景技術】
【０００２】
特許文献１には、フレームに軸支されたカムバーと、そのカムバーを駆動する操作桿とからなる、カードを排出するイジェクタユニットが開示されている。
【０００３】
また特許文献２には、挿入されているカードを押圧するカード保持部をシャッタ本体に設けたカードモジュール用シャッタ機構が開示されている。
【先行技術文献】
【特許文献】
【０００４】
【特許文献１】特開平６−１５１００４号公報
【特許文献２】特開２００２−２６９５１３号公報
【考案の概要】
【考案が解決しようとする課題】
【０００５】
上掲の特許文献１の場合、カードが挿入されていればそのカードによりカムバーや操作桿の位置や姿勢が一義的に定まるので、振動を受けても異音の発生が防止される。しかし、カードが挿入されていない状態では、振動を受けるカムバーや操作桿、特にカムバーがその振動によって移動しカタカタと鳴るような異音（ｒａｔｔｌｉｎｇ）が発生するおそれがある。
【０００６】
また、上掲の特許文献２の場合も同様である。すなわち、カードが挿入されている状態ではカード保持部がカードを押圧するので、異音の発生が防止される。しかし、カードが挿入されていない状態で振動を受けると、シャッタから異音が生じるおそれがある。
【０００７】
本考案は、上記事情に鑑み、カードが挿入されていない状態において異音の発生が抑制されるカードコネクタを提供することを目的とする。
【課題を解決するための手段】
【０００８】
上記目的を達成する本考案のカードコネクタは、
差込位置と押出位置との間で差込／押出方向に移動自在にカードを受容するハウジングと、
上記差込／押出方向に対し交わる方向に延び途中が軸支されて差込位置へのカードの差込みにより一方の端部が押されて回動するイジェクトレバーと、
上記差込／押出方向に延び押込操作により差込方向奥側にスライドしてイジェクトレバーの他方の端部を押し、差込位置にあるカードをイジェクトレバーの上記一方の端部で押出位置に向けて押し出させるスライダと、
イジェクトレバーの回動の姿勢によらずイジェクトレバーに接触してイジェクトレバーの動きにフリクションを与えるフリクション部材とを備えたことを特徴とする。
【０００９】
本考案のカードコネクタは、前掲の特許文献１におけるカムバーと操作桿にそれそれ対応するイジェクトレバーとスライダを備えたカードコネクタである。本考案のカードコネクタはさらに、上記のフリクション部材を備えているため、カードが挿入されていない状態において振動を受けても、異音を発生し易いイジェクトレバーについて異音の発生が防止される。
【００１０】
ここで、上記本考案のカードコネクタにおいて、ハウジングとの間にカードを受容する受容空間を形成する金属シェルを備え、その金属シェルが、イジェクトレバーに接触する、フリクション部材としてのばね片を有することが好ましい。
【００１１】
フリクション部材に適正な強さのフリクションを生じさせるには、ばね性のあるフリクション部材であることが好ましい。カードコネクタには、金属シェルを備えたものも多く、金属シェルを備えたカードコネクタにおいて、その金属シェルを切り起こしてばね片を形成し、それをフリクション部材とすることにより、余計なコスト増を招くことなくフリクション部材を形成することができる。
【００１２】
また、金属シェルのばね片をフリクション部材とする構成において、そのばね片が、イジェクトレバーに向かって突出する突起部を有し、その突起部がイジェクトレバーに接触するものであることが好ましい。
【００１３】
突起部を形成すると、イジェクトレバーの回動の姿勢によらず、そのイジェクトレバーに常にほぼ一定の押圧力で接し、常にほぼ一定のフリクションを与えることができる。
【００１４】
さらに、本考案のカードコネクタにおいて、ハウジングが、スライダをスライド自在に、差込／押出方向に対し交わる向きに挟持して、スライダの動きにフリクションを与える挟持部を有することが好ましい。
【００１５】
この挟持部を備えると、スライダについても不用意な動きが制限され、振動を受けたときの異音の発生をさらに確実に抑制することができる。
【００１６】
さらに、本考案のカードコネクタは、ハウジングに対し差込／押出方向にスライド自在であって、カードを載せてそのカードを差込位置と押出位置との間で移動させるトレイを備えものであってもよい。
【００１７】
本考案は、カードを直接に差し込むタイプのカードコネクタであってもよく、あるいはトレイを備え、そのトレイにカードを載せて差し込むタイプのカードコネクタであっても適用することができる。
【考案の効果】
【００１８】
以上の本考案のカードコネクタによれば、カードが差し込まれていない状態であっても異音の発生が有効に抑制される。
【図面の簡単な説明】
【００１９】
【図１】本考案の一実施形態のカードコネクタの外観斜視図である。
【図２】図１に外観を示すカードコネクタから金属シェルを取り除いた状態の外観斜視図である。
【図３】金属シェルを取り外した状態のカードコネクタの斜視図である。
【図４】カードコネクタの平面図である。
【図５】図４の矢印５−５に沿う部分断面図である。
【図６】図４に示す円Ｒの部分の拡大図である。
【考案を実施するための形態】
【００２０】
以下、本考案の実施の形態を説明する。
【００２１】
図１は、本考案の一実施形態のカードコネクタの外観斜視図である。
【００２２】
また、図２は、図１に外観を示すカードコネクタから金属シェルを取り除いた状態の外観斜視図である。
【００２３】
尚、ここでは、このカードコネクタを、金属シェルの有無にかかわらずカードコネクタ１と称することがある。
【００２４】
このカードコネクタ１には、ハウジング組立体１０と、金属シェル２０と、トレイ３０が備えられている。このトレイ３０には、中央に大きな開口３１が形成され、その開口３１の縁にメモリカードを支持する支持台３２が設けられている。このトレイ３０には、ＳＩＭカード（図示せず）が、そのＳＩＭカード底面の周縁を支持台３２に載せ、そのカード底面の中央の広い領域を開口３１から下方に露出させた状態に支持される。
【００２５】
ハウジング組立体１０と金属シェル２０との間には、トレイ３０が差し込まれる差込口１ａが形成されている。また、その差込口１ａの奥にはトレイ３０に載置された状態のＳＩＭカードを受け容れる受容空間が形成されている。トレイ３０は、ハウジング組立体１０に対し、差込方向（図２に示す矢印Ａ方向）および押出方向（図２に示す矢印Ｂ方向）にスライド自在である。
【００２６】
尚、ここでは、差込方向（矢印Ａ方向）と押出方向（矢印Ｂ方向）を合わせて、「差込／押出方向」と称している。このトレイ３０は、ＳＩＭカードを載せた状態のまま、その差込口１ａから差込方向（（矢印Ａ方向）に差し込まれ、ハウジング組立体１０と金属シェル２０とで形成されている受容空間に受容される。この図１、図２は、その受容空間に受容された状態のトレイ３０が示されている。トレイ３０が図１、図２に示す受容空間に受容された状態にあるときの、そのトレイ３０に載置されているＳＩＭカードの位置を、ここでは「差込位置」と称する。このトレイ３０の外壁３３は、このカードコネクタ１が搭載される機器の筐体の一部を成す。図１、図２には、トレイ３０が受容空間に受容された状態が示されているが、この状態においてトレイ３０の外壁３３と差込口１ａとの間に距離がある。これは、このカードコネクタ１が搭載される機器における、このカードコネクタ１の搭載位置が、その機器の筐体表面から奥まっているためである。
【００２７】
図２に示すように、ハウジング組立体１０は、樹脂製のハウジング１１と、そのハウジング１１と一体に成形された金属製の複数のコンタクト１２を備えている。各コンタクト１２は、回路基板（図示せず）の表面に半田接続される基板接続部１２ａを有する。トレイ３０に載置されるＳＩＭカードの下面には、電気的に接続を担うパッドが形成されている。これらのコンタクト１２は、トレイ３０に載置されて差込位置に差し込まれたカードの下面のパッドに接触し、ＳＩＭカードと回路基板とを電気的に相互接続する役割を担っている。
【００２８】
図３は、金属シェルを取り外した状態のカードコネクタの斜視図である。ただし、この図３では、トレイ３０が受容空間から押し出された状態が示されている。
【００２９】
トレイ３０がこの図３に示す位置まで押し出された状態にあるときの、そのトレイ３０に載置されているＳＩＭカード（図示せず）の位置を、ここでは「押出位置」と称する。
【００３０】
以下では、図１、図２を参照するとともに、さらに図３も参照しながら、このカードコネクタ１の説明を続ける。
【００３１】
このカードコネクタ１には、さらに、スライダ１３とイジェクトレバー１４が備えられている。
【００３２】
スライダ１３は、差込／押出方向（矢印Ａ−Ｂ方向）に延び、ハウジング１１に対し、図２に示す位置と図３に示す位置との間で差込／押出方向（矢印Ａ−Ｂ方向）にスライド自在となっている。このスライダ１３は、図２に示す位置にあるときに外部のピン（図示せず）を使った押込操作により、差込方向（矢印Ａ方向）に、図３に示す位置までスライドする。
【００３３】
トレイ３０には、そのピンを差し込むための貫通孔３４が形成されており、またハウジング１１にもそのピンを受け入れる開口１１ａが形成されている。
【００３４】
また、イジェクトレバー１４は、差込／押出方向（矢印Ａ−Ｂ方向）に対し交わる方向に延び、その途中の中央部分がハウジング１１に回動自在に軸支されている。このイジェクトレバー１４の一方の端部は差し込まれたトレイ３０と干渉する位置にあり、他方の端部はスライダ１３と干渉する位置にある。このため、トレイ３０が差し込まれると、イジェクトレバー１４はそのトレイ３０に押されて時計回りに回動し、スライダ１３を押出方向（矢印Ｂ方向）に図２に示す位置までスライドさせる。トレイ３０の貫通孔３４からピンが差し込まれてスライダ１３が押されると、イジェクトレバー１４は今度はスライダ１３に押されて反時計回りに回動してトレイ３０を押し出す。図３に示す位置まで押し出されたトレイ３０は、その外壁３３が、このカードコネクタ１が搭載されている機器から突出する。その後は、外壁３３を指でつまむことにより、トレイ３０がカードコネクタ１から引き抜かれる。
【００３５】
ここで、図１に示す金属シェル２０には、ハウジング組立体１０に備えられているイジェクトレバー１４に対向する位置にばね片２１が形成されている。このばね片２１は、本考案にいうフリクション部材の一例に相当する。
【００３６】
図４は、このカードコネクタの平面図である。この図４では、金属シェル３０に覆われているハウジング組立体１０の上面を破線で示した図となっている。
【００３７】
また図５は、図４の矢印５−５に沿う部分断面図である。
【００３８】
金属シェル３０に設けられているばね片２１には、図５に示すように、イジェクトレバー１４に向かって突出してイジェクトレバー１４に接触するディンプル２１ａが設けられている。このディンプル２１ａは、本考案にいう突起部の一例に相当する。このディンプル２１ａは、イジェクトレバー１４の回動の姿勢によらずそのイジェクトレバー１４に常に接触しているので、そのイジェクトレバーの動きにフリクションを与えている。すなわち、トレイ３０の差込み位置（図１参照）においても、また、トレイ３０の押出位置（図４参照）においても、ディンプル２１ａはイジェクトレバー１４にフリクションを与えている。
【００３９】
ただし、ディンプル２１ａによるフリクションは、イジェクトレバー１４がトレイ３０に押されたときの時計回りの回動、およびスライダ１３に押されたときの反時計回りの回動という、イジェクトレバー１４の本来の動作には差し支えないレベルに設定されている。
【００４０】
一方、このフリクションは、トレイ３０が抜き取られている状態においてこのカードコネクタ１が振動を受けても、イジェクトレバー１４が容易には動かないレベルに設定されている。トレイ３０が拭き取られている状態で振動を受けたとき、その振動でイジェクトレバー１４が動くことが異音発生の主な原因である。本実施形態のカードコネクタ１の場合、トレイ３０から抜き取られている状態で振動を受けてもイジェクトレバー１４は容易には動かず、したがって異音の発生が抑えられる。
【００４１】
本実施形態では、イジェクトレバー１４へのフリクションを金属シェル２０のばね片２１で与えているため、部品の公差等に寄らず、イジェクトレバー１４に安定した強さの押圧力を与えることができる。また、本実施形態では、ばね片２１にディンプル２１ａを設け、そのディンプル２１ａが、イジェクトレバー１４の回動の全姿勢範囲内で常にイジェクトレバー１４を押している。このため、仮に特別に大きな振動が一瞬加わってイジェクトレバー１４の姿勢がその瞬間変化しても、イジェクトレバー１４はその変化後の姿勢に留まることになり、イジェクトレバー１４がどの姿勢にあっても異音の発生が抑えられる。
【００４２】
図６は、図４に示す円Ｒの部分の拡大図である。
【００４３】
この図６にはスライダ１３が示されている。このスライダ１３は、ハウジング１１の案内壁１１１に沿って差込／押出方向（矢印Ａ−Ｂ）方向にスライドする。また、このハウジング１１には、ポスト１１２が立設している。これら案内壁１１１とポスト１１２は、スライダ１３を、スライド自在に、差込／押出方向（矢印Ａ−Ｂ方向）に交わる向きに挟持する構造となっている。ここで、案内壁１１１には、スライダ１３に向かって突き出た、縦（上下方向）に延びる突起１１１ａが形成されている。またこれと同様に、ポスト１１２にも、スライダ１３に向かって突き出た、縦に延びる突起１１２ａが形成されている、それらの突起１１１ａ，１１２ａは、適度な押圧力を持ってスライダ１３を挟み込んでいる。
【００４４】
このため、このスライダ１３は、このカードコネクタ１が振動を受けても容易には動かない。このように、本実施形態のカードコネクタ１は、異音の発生の防止に万全が期されている。ただし、このスライダ１３は、トレイ３０が差し込まれてそのトレイ３０によって押されたイジェクトレバー１４でこのスライダ１３が押されたとき、および、図示しない外部のピンによりこのスライダ１３が押し込まれたときは、差込／押出方向（矢印Ａ−Ｂ方向）にスムーズにスライドする。
【００４５】
尚、ここで挙げた実施形態は、ＳＩＭカードをトレイ３０に載せそのＳＩＭカードを載せたトレイ３０を差込み／押出しするタイプのカードコネクタ１である。ただし、本考案のカードコネクタは、トレイを備えずに、カードを直接に差し込んだり押し出したりするタイプのカードコネクタにも適用することができる。本考案をこのタイプのカードコネクタに適用する場合、イジェクトレバー１４は、カードと直接に干渉して、差し込まれたカードによってイジェクトレバー１４が押され、また、スライダ１３が押し込まれたときにイジェクトレバー１４がカードを押すように構成される。
【００４６】
尚、本実施形態では、本発明にいう突起部の一例としてディンプル２１ａを例示したが、本考案にいう突起部は、半球状のディンプル２１ａに限られず、ほぼ差込／押出方向（矢印Ａ−Ｂ）方向に延びる突条（ビード）であってもよい。
【符号の説明】
【００４７】
１    カードコネクタ
１ａ    差込口
１０    ハウジング組立体
１１    ハウジング
１２    コンタクト
１３    スライダ
２１    ばね片
１４    イジェクトレバー
２０    金属シェル
２１ａ    ディンプル
３０    トレイ
３２    支持台
３３    外壁
３４    貫通孔
１１１    案内壁
１１１ａ    突起
１１２    ポスト
１１２ａ    突起
【図１】
0003187380.tif 000003
【図２】
0003187380.tif 000004
【図３】
0003187380.tif 000005
【図４】
0003187380.tif 000006
【図５】
0003187380.tif 000007
【図６】
0003187380.tif 000008